(57)【要約】      （修正有）【課題】天面が１枚の板からなる構造であって，天面と箱本体を貼着することなく，不用意に包装箱の天面が開封してしまう事態を防止できる包装箱を提供する。【解決手段】包装箱１００は，左右一対の折込片１６，１７と，左右一対のロック孔１６ａ，１７ａと，左右一対のロック片２２，２３を有している。左右一対の折込片１６，１７は，左側面板１３及び右側面板１４の上部開口Ａを形成する辺に延設されており，包装箱１００の内方に向かって折り返される。左右一対のロック孔１６ａ，１７ａは，左右一対の折込片１６，１７に設けられ，左右一対の折込片１６，１７が延設された辺から先端側に向かって形成される。左右一対のロック片２２，２３は，天面板２１の左右両側縁に延設され，天面板２１によって上部開口Ａを塞いだときに左右一対のロック孔１６ａ，１７ａに嵌合する。【選択図】図３
2014061930.tif 000002
【特許請求の範囲】
【請求項１】
側面と，天面と，底面を含み，
前記側面は，前側面板，後側面板，左側面板，及び右側面板の各側面板を有し，
前記天面は，前記後側面板に連接し，前記各側面板により画定される上部開口を塞ぐ天面板を有する
包装箱であって，
前記前側面板，前記左側面板，及び前記右側面板のいずれか一つ以上の前記上部開口を形成する辺に延設され，前記包装箱の内方に向かって折り返される折込片と，
前記折込片の少なくとも一つに設けられ，当該折込片が延設された辺から先端側に向かって形成されるロック孔と，
前記天面板に延設され，前記天面板によって前記上部開口を塞いだときに，前記ロック孔の少なくとも一つに嵌合するロック片と，を有する
包装箱。
【請求項２】
前記折込片は，前記左側面板及び前記右側面板の前記上部開口を形成する辺に延設された左右一対の折込片であり，
前記ロック孔は，前記左右一対の折込片に設けられ，前記左右一対の折込片が延設された辺から先端側に向かって形成される左右一対のロック孔であり，
前記ロック片は，前記天面板の左右両側縁に延設され，前記天面板によって前記上部開口を塞いだときに前記左右一対のロック孔に嵌合する左右一対のロック片である
請求項１に記載の包装箱。
【請求項３】
前記側面は，前側面板，後側面板，左側面板，及び右側面板のうちの一つの側面板に延設され，他の隣接する側面板に接合される接合片を，さらに有し，
前記接合片と前記他の隣接する側面板は，一又は複数の糸で縫い合わされることにより接合される
請求項１又は請求項２に記載の包装箱。
【請求項４】
前記ロック孔は，前記折込片が延設された一辺から先端側に向かって幅広となる部分を有する形状であり，
前記ロック片は，前記ロック孔の形状に対応して，前記天面板から延設される辺から先端側に向かって幅広となる部分を有する形状である
請求項１から請求項３のいずれかに記載の包装箱。
【発明の詳細な説明】
【技術分野】
【０００１】
本発明は，紙製の段ボール等により形成された包装箱に関する。具体的に説明すると，本発明は，天面閉鎖時に貼合や粘着部材を用いなくても天面が開封しにくく，かつ，梱包物の上面に傷がつきにくい包装箱に関するものである。
【背景技術】
【０００２】
従来から，段ボール等によって形成された包装箱内に梱包物を収納して保護することが知られている。一般的な包装箱は，底面と，底面の周囲に立設する側面と，側面の上縁の一部に連接された天面を備える。側面が底面の周囲に立設することで，包装箱の上部には開口が形成され，この上部の開口は天面によって塞がれるようになっている。
上記天面は，Ａ式箱のように複数の板から構成される場合もあるが，１枚の板から構成される場合もある。天面が１枚の場合は，包装箱の上面内側に段差が生じないため，梱包物を入れて積み上げた場合に梱包物の上面に傷がつきにくいという利点がある。
また，一般的な包装箱において，天面の先端には，包装箱の内部方向へ向かって折り曲げられる差込片が延設されており，この差込片を包装箱内部に差し込んで，天面を閉じた状態で固定するようになっている。
また，包装箱の搬送時等において，意図しないタイミングで包装箱の天面が開くことを防止するために，差込片を箱本体に貼着する構造が知られている。
【０００３】
また，上記差込片が箱本体に貼合された包装箱において，従来から，上部の開口を通じて梱包物を取り出す作業を行い易くするための技術が知られている（例えば特許文献１等）。
【０００４】
例えば特許文献１に記載の包装箱には，前側面板の貼着部分周囲に切目線が設けられている。そして，特許文献１の包装箱を開封する際には，天面の先端に設けられた差込片と共に，切目線に囲まれた前側面板の貼着部分を外側から内側に向かって押し込んで，その貼着部分を切目線に沿って前側面板から切り離す。このとき，前側面板から切り離した部分が差込片と一体となっているので，差込片を前側面板から分離して開封できるようになっている。
【０００５】
このように，従来の包装箱は，基本的に，包装箱の上部に設けられた開口から梱包物を取り出すことを想定した構造となっている。そして，従来の包装箱は，梱包物を取り出す作業を容易にするために，上部の開口を塞ぐ天面板を開封し易くするための工夫がなされたものであった。
【先行技術文献】
【特許文献】
【０００６】
【特許文献１】実開昭４７−８５２７号公報
【発明の概要】
【発明が解決しようとする課題】
【０００７】
しかしながら，上記した従来の包装箱のように，包装箱を封鎖する際に天面と箱本体を貼着する構造とすると，封鎖時および開封時の作業性が劣り，コスト的にも問題となっていた。
【０００８】
このため，現在では，天面が１枚の板からなる構造であって，かつ，天面と箱本体を貼着することなく，不用意に包装箱の天面が開封してしまう事態を防止できる包装箱が求められている。
【課題を解決するための手段】
【０００９】
そこで，本発明の発明者は，上記の従来発明の問題点を解決する手段について鋭意検討した結果，粘着部材や貼着手段を用いることなく，１枚の板から構成された包装箱の天面を開封しにくくする構造に関する知見を得た。すなわち，本発明の包装箱は，側面板の上縁辺に，包装箱の内方に折り込まれる折込片を延設し，この折込片にロック孔を形成する。他方，本発明において，包装箱の天面には，折込片に形成されたロック孔に嵌合する形状のロック片を設ける。これにより，包装箱の天面を閉じると，ロック片がロック孔に嵌合するため，包装箱の天面が開封しにくくなる。そして，本発明者は，上記知見に基づけば，従来技術の課題を解決できることに想到し，本発明を完成させた。
具体的に説明すると，本発明は以下の構成を有する。
【００１０】
本発明の包装箱は，側面１０と，天面２０と，底面３０を含む。側面１０は，底面３０の周縁に沿って立設される。天面２０は，側面１０によって画定された上部の開口を塞ぐ。天面２０と底面３０は互いに対向して配置される。
側面１０は，前側面板１１，後側面板１２，左側面板１３，及び右側面板１４の各側面板を有する。前側面板１１と後側面板１２は互いに対向し，左側面板１３と右側面板１４は互いに対向する。このため，各側面板１１〜１４によって矩形の上部開口Ａが画定される。また，天面２０は，後側面板１２に連接し各側面板により画定される上部開口Ａを塞ぐ天面板２１を有している。
なお，本願明細書において，天面板２１が連接される側面板を後側面板１２とし，後側面板１２に対向する側面板を前側面板１１と定義している。
本発明の包装箱は，さらに，少なくとも一つの折込片１６，１７，１８と，ロック孔１６ａ，１７ａ，１８ａと，ロック片２２，２３，２５を有している。
折込片１６，１７，１８は，前側面板１１，左側面板１３，及び右側面板１４のいずれか一つ以上の上部開口Ａを形成する辺に延設され，包装箱１００の内方に向かって折り返される片である。
ロック孔１６ａ，１７ａ，１８ａは，折込片１６，１７，１８の少なくとも一つに設けられ，折込片１６，１７，１８が延設された辺から先端側に向かって形成される孔部である。
ロック片２２，２３，２５は，天面板２１に延設され，天面板２１によって上部開口Ａを塞いだときに，ロック孔１６ａ，１７ａ，１８ａの少なくとも一つに嵌合する片である。
【００１１】
上記本発明の構造によれば，天面板２１によって上部開口Ａを塞いだときに，天面板２１に設けられたロック片２２，２３，２５が，折込片１６，１７，１８に設けられたロック孔１６ａ，１７ａ，１８ａに嵌合する。これにより，天面板２１が開封しにくくなる。従って，粘着部材や貼着手段を用いなくても，包装箱の搬送時等において，天面板２１が意図しないタイミングで開いてしまうような事態を防止可能である。
【００１２】
本発明の包装箱において，折込片は，左側面板１３及び右側面板１４の上部開口Ａを形成する辺に延設された左右一対の折込片１６，１７であることが好ましい。
また，ロック孔は，左右一対の折込片１６，１７に設けられ，左右一対の折込片１６，１７が延設された辺から先端側に向かって形成される左右一対のロック孔１６ａ，１７ａであることが好ましい。
また，ロック片は，天面板２１の左右両側縁に延設され，天面板２１によって上部開口Ａを塞いだときに左右一対のロック孔１６ａ，１７ａに嵌合する左右一対のロック片２２，２３であることが好ましい。
【００１３】
上記構成のように，折込片，ロック孔，及びロック片のそれぞれを，左右二箇所ずつ設けることで，天面板２１がより開封しにくくなる。
【００１４】
本発明において，側面１０は，前側面板１１，後側面板１２，左側面板１３，及び右側面板１４のうちの一つの側面板に延設され，他の隣接する側面板に接合される接合片１５を，さらに有することが好ましい。そして，本発明において，接合片１５と上記他の隣接する側面板は，一又は複数の糸４０で縫い合わされることにより接合されることが好ましい。
【００１５】
本発明では，上述した通り，あえて包装箱の天面が開封しにくくなる構造を採用することにより，梱包物保護の確実性を向上させることとしている。ただし，このような天面の構造を採用すると，包装箱の中から梱包物を取り出しにくくなることが懸念される。
そこで，本発明の好ましい形態では，側面１０を形成するいずれか一つの側面板に接合片１５を延設し，その接合片１５と隣接する側面板を縫合して（糸で縫い合わせて）接合する。これにより，接合片と側面板を縫合している糸を抜き取るだけで，包装箱の側面を簡単に開封できるようになる。また，上述した通り，天面のロック機構は，ロック孔１６ａ，１７ａ，１８ａにロック片２２，２３，２５が嵌合しているだけのものであるため，包装箱の側面が開封されれば，天面のロック機構も自然と解除されることとなる。さらに，底面をセミオートマチック方式等の貼合を要しない方式で形成すれば，接合片と側面板を縫合している糸を抜き取るだけで，包装箱全体を一瞬にして解体することができるようになり，梱包物を取り出す作業が極めて容易になる。
以上の通り，本発明の好ましい形態は，天面にロック機構を設け，側面に縫合による接合機構を設けたことにより，包装時における梱包物保護の確実性と，開封時における梱包物の取り出し易さの両立を実現できる。
【００１６】
本発明において，ロック孔１６ａ，１７ａ，１８ａは，折込片１６，１７，１８が延設された一辺から先端側に向かって幅広となる部分を有する形状であることであることが好ましい。
また，ロック片２２，２３，２５は，のロック孔１６ａ，１７ａ，１８ａの形状に対応して，天面板２１から延設される辺から先端側に向かって幅広となる部分を有する形状であることが好ましい。
【００１７】
上記構成のように，折込片１６，１７，１８とロック孔１６ａ，１７ａ，１８ａを，その根元部分よりも幅広となる部分を有する形状とすることで，折込片１６，１７，１８とロック孔１６ａ，１７ａ，１８ａが嵌合した際に，折込片１６，１７，１８が，ロック孔１６ａ，１７ａ，１８ａから抜けにくくなる。これにより，天面板２１が閉塞された状態が強固に維持されるようになる。従って，本発明の好ましい形態によれば，梱包物をより確実に保護することができる。
【発明の効果】
【００１８】
上述した通り，本発明の包装箱は，天面板によって上部開口を塞いだときに，天面板に設けられたロック片が，折込片に設けられたロック孔に嵌合する。これにより，天面板が開封しにくくなり，例えば包装箱の搬送時等において，天面板が意図しないタイミングで開いてしまうような事態を防止でき，梱包物を確実に保護できるようになる。
【００１９】
また，本発明の好ましい形態では，側面を形成するいずれか一つの側面板に接合片を延設し，その接合片と隣接する側面板を縫合して接合する。これにより，接合片と側面板を縫合している糸を抜き取るだけで，包装箱の側面を簡単に開封することができるようになる。また，天面のロック機構は，ロック孔にロック片が嵌合しているだけのものであるため，包装箱の側面が開封されれば，天面のロック機構も自然と解除される。このように，接合片と側面板を縫合している糸を抜き取るだけで，包装箱全体を一瞬にして解体できるため，梱包物を取り出す作業が極めて容易になる。
【図面の簡単な説明】
【００２０】
【図１】図１は，本発明の第１の実施形態に係る包装箱の例を示す展開図である。
【図２】図２は，開かれた状態の包装箱の例を示す斜視図である。
【図３】図３は，各折込片を折り返した状態の包装箱を示す斜視図である。
【図４】図４は，本発明のロック機構を説明するための拡大図である。
【図５】図５は，閉じられた状態の包装箱の例を示す斜視図である。
【図６】図６は，本発明に適用される側面の接合構造の例を示す説明図である。
【図７】図７は，縫合態様の例を示す模式図である。
【図８】図８は，本発明の包装箱と梱包物を模式的に示した斜視図である。
【図９】図９は，本発明の第２の実施形態に係る包装箱の例を示す展開図である。
【図１０】図１０は，本発明の第３の実施形態に係る包装箱の例を示す展開図である。
【発明を実施するための形態】
【００２１】
以下，図面を用いて本発明を実施するための形態について説明する。本発明は，以下に説明する実施形態に限定されるものではなく，以下の実施形態から当業者が自明な範囲で適宜修正したものも含む。
なお，本願明細書において，「Ａ〜Ｂ」とは，「Ａ以上Ｂ以下」であることを意味する。
【００２２】
（１．第１の実施形態）
（１−１．包装箱の構成について）
図１は，本発明の第１の実施形態に係る包装箱１００の展開図であり，包装箱１００を形成するブランクシート１００´を示している。図１に示されるように，ブランクシート１００は，包装箱の側面１０，天面２０，及び底面３０を形成する各板部が連接し，一枚のシート状の部材から形成されている。ブランクシート１００´は，例えば厚紙若しくは段ボール等の紙製シート，又はプラスチックシート等のシート状部材を打ち抜いて加工し，所定の位置に折線と切込線を設けることにより形成できる。ブランクシート１００´は，特に段ボールによって形成されていることが好ましい。ブランクシート１００´を形成する段ボールは，公知のものを採用すればよい。ただし，後述するロック片２２，２３とロック孔１６ａ，１７ａによるロック機構を強固なものとするために，段ボールの厚みは１ｍｍ以上であることが好ましく，特に１ｍｍ〜５ｍｍ又は２ｍｍ〜３ｍｍの厚みを有するものを採用することが好ましい。
【００２３】
図１に示されるように，包装箱の側面１０は，一対の前側面板１１及び後側面板１２と，一対の左側面板１３及び右側面板１４を含んで構成される。各側面板１１〜１４は矩形である。本実施形態においては，側面１０を構成する各側面板が，図中左側から順に，前側面板１１，左側面板１３，後側面板１２，及び左側面板１４の順で一方向に連接されている。また，これらの各側面板を連接する境界線上には，折線（谷折線）が形成される。また，図１に示されるように，各側面板のうち，一方の端部に位置する前側面板１１には，折線（谷折線）を境界として，接合片１５が延設されている。このため，各側面板を折線に沿って折り曲げ，接合片１５と右側面板１４の端部を接合することにより，各側面板の一方の端部に位置する前側面板１１と，他方の端部に位置する右側面板１４が，接合片１５を介して連結されるようになる。これにより，各側面板１１〜１４が周方向に繋がり，前後一対の前側面板１１及び後側面板１２が互いに対向し，左右一対の左側面板１３及び右側面板１４が互いに対向するようにして，側面１０が立設する。各側面板１１〜１４が立設されることで，包装箱の内部に収納空間を形成される。この収納空間には，所望の梱包物を収納できる。なお，本発明において，接合片１５と右側面板１４は，糸によって縫い合わされることにより接合されることが好ましい。この点については後述する。
【００２４】
また，図１に示されるように，後側面板１２の上縁辺には，天面板２１が連接されている。つまり，後側面板１２には，各側面板１１〜１４が連接する方向と直交する方向に，折線（谷折線）を介して，天面板２１が連接される。天面板２１は，矩形状に形成されており，天面板２１一枚により，各側面板１１〜１４が画定する上部開口Ａ（図２参照）を塞ぐことができる形状と面積を有している。すなわち，天面板２１の周縁を画定する辺の長さは，各側面板１１〜１４の長さと対応するものである。
【００２５】
また，天面板２１の左側縁の一部からは左ロック片２２が延出し，天面板２１の右側縁の一部からは右ロック片２３が延出している。なお，天面板２１の左側縁とは，天面板２１を画定する４辺のうち，包装箱を閉じた状態において，左側面板１３の上縁に接する辺を意味する。同様に，天面板２１の右側縁とは，天面板２１を画定する４辺のうち，包装箱を閉じた状態において，右側面板１４の上縁に接する辺を意味する。左右一対のロック片２２，２３は，天面板２１と折線（谷折線）を介して延出されており，自在に折れ曲がるようになっている。左右一対のロック片２２，２３は，基本的に，包装箱を閉じる際に包装箱の内部方向へ向かって折り曲げられる。また，図１に示されるように，左右一対のロック片２２，２３は，天面板２１と連結している辺から，その先端側に向かって，徐々に幅広となる部分を有する形状となっていることが好ましい。具体的に説明すると，本実施形態において，左右一対のロック片２２，２３は，天面板２１と連結している辺からその先端側に向かって，徐々に幅広となり，その後徐々に幅狭となる形状とされている。左右一対のロック片２２，２３は，天面板２１の左右の辺の一部から延出しているものであればよい。
【００２６】
また，天面板２１の前側縁からは，差込片２４が延出している。天面板２１の前側縁とは，天面板２１を画定する４辺のうち，包装箱を閉じた状態において，前側面板１１の上縁に接する辺を意味する。差込片２４は，天面板２１と折線（谷折線）を介して連結されており，包装箱を閉じる際に包装箱の内部方向へ向かって折り曲げられる。差込片２４は，包装箱内部に差し込んで固定することができる。なお，本発明において，差込片２４は任意の要素であり，必ずしも必要とされるものではない。また，後述するように，差込片２４は，ロック片と置き換えることもできる。
【００２７】
他方，図１に示されるように，左右一対の左側面板１３及び右側面板１４のそれぞれからは，上述した天面板２１と同一の方向に向かって，左折込片１６と，右折込片１７が延設されている。つまり，左右一対の左折込片１６及び右折込片１７は，左右一対の左側面板１３及び右側面板１４それぞれの上縁から延出する。左折込片１６と右折込片１７は，包装箱を閉じる際に包装箱の内部方向へ向かって折り返される。このため，左右一対の折込片１６，１７と，左右一対の側面板１３，１４の境界線上には，折線（谷折線）が形成される。また，左右一対の折込片１６，１７を折り返し易くするために，上記境界線上に沿って，平行な二本の罫線を形成することもできる。また，左右一対の折込片１６，１７の形状は，任意のものとすることができる。例えば，図１に示された例では，ブランクシート１００´の状態において，天面板２１に形成された一対のロック片２２，２３と重ならないように，一対の折込片１６，１７の天面板２１寄りの角部分には，切り欠きが設けられている。
【００２８】
また，左折込片１６には，左側面板１３との境界線を起点として左折込片１６の先端側に向かって形成された左ロック孔１６ａが設けられている。同様に，右折込片１７には，右側面板１４との境界線を起点として左折込片１７の先端側に向かって形成された右ロック孔１７ａが設けられている。これらの左ロック孔１６ａと右ロック孔１７ａには，包装箱の上部開口Ａを天面板２１によって塞ぐ際に，天面板２１の左右両辺に設けられた左ロック片２２及び右ロック片２３が，嵌め込まれる。このため，左右一対のロック孔１６ａ，１７ａは，左右一対のロック片２２，２３に対応した形状であることが好ましい。ここにいう「対応した形状」とは，一対のロック孔１６ａ，１７ａが，一対のロック片２２，２３と同一の形状の孔であるか，又は一対のロック片２２，２３よりも一回り大きい相似の形状の孔であることを意味する。ただし，一対のロック孔１６ａ，１７ａは，一対のロック片２２，２３と異なる形状であっても，一対のロック片２２，２３が係合する形状であればよい。本実施形態において，一対のロック孔１６ａ，１７ａは，一対のロック片２２，２３と同様に，一対の折込片１６，１７が延設された境界線上から，一対の折込片１６，１７の先端側に向かって，徐々に幅広となり，その後徐々に幅狭となる形状とされている。このように，本実施形態において，一対のロック片２２，２３と一対のロック孔１６a，１７aは同一又は相似の形状となっている。
【００２９】
図１に示されるように，前側面板１１からは，上述した天面板２１と同一の方向に，前折込片１８が延設されている。つまり，前折込片１８は，前側面板１１の上縁辺から延出する。前折込片１８は，包装箱を閉じる際に包装箱の内部方向へ向かって折り返される。このため，前折込片１８と，前側面板１１の境界線上には，折線（谷折線）が形成される。また，前折込片１８を折り返し易くするために，上記境界線上に沿って，平行な二本の罫線を形成することもできる。なお，本発明において，前折込片１８は任意の要素であり，必ずしも必要とされるものではない。また，後述するように，前側面板１８には，ロック孔を設けることもできる。
【００３０】
また，左折込片１６，右折込片１７，及び前折込片１８を，包装箱の内部方向へ向かって折り返した際に，各折込片１６，１７，１８が，互いに係合する構造を設けてもよい。具体的に説明すると，図１に示された実施形態において，前折込片１８の先端側の左右の角部分には，切欠き部１８ｂが形成されている。また，左右一対の折込片１６，１７のそれぞれには，包装箱の内部方向へ向かって折り返した際に，前折込片１８に設けられた切欠き部１８ｂに挿し込まれる突出部１６ｂ，１７ｂが形成されている。各突出部１６ｂ，１７ｂの突出長さは，例えば包装箱を形成する段ボールシートの厚みＴと略同一（Ｔ±５％）とすればよい。このように，左折込片１６の突出部１６ｂと，右折込片１７の突出部１７ｂが，前折込片１８の各切欠き部１８ｂに挿し込まれるようにすることで，包装箱の内部方向へ向かって折り返した際に，左右一対の折込片１６，１７と，前折込片１８が互いに係合するようになる。
【００３１】
他方，図１に示されるように，本実施形態において，側面１０を形成する各側面板１１〜１４には，天面板２１が連接された方向とは反対の方向に向かって，底面３０を形成する各底面板３１〜３４が連接されている。本発明において，底面３０の構造は特に限定されるものではなく，公知となっている構造を適宜採用できる。本実施形態において，底面３０には，いわゆるセミオートマチック方式のロックボトム構造が採用されている。
【００３２】
具体的に説明すると，図１に示されるように，包装箱の底面３０は，前側面板１１に連接する前底面板３１と，後側面板１２に連接する後底面板３２と，左側面板１３に連接する左底面板３３と，右側面板１４に連接する右底面板３４により構成される。底面３０を構成する各底面板３１〜３４と，側面１０を構成する各側面板１１〜１４の境界線上には，それぞれ折線（谷折線）が形成され，各底面板３１〜３４は包装箱の内側に向かって折り曲げることができるようになっている。図１に示されるように，前底面板３１の先端側の中央には凸部３１ａが設けられ，後底面板３２の先端側の中央には凹部３２ａが設けられ，左底面板３３と右底面板３４のそれぞれには角部３３ａ，３４ａが形成される。セミオートマチック方式のロックボトム構造は，底面３０を形成するにあたり，まず，後底面板３２を折り曲げ，後底面板３２の上に，左底面板３３と右底面板３４を重ねる。そして，左底面板３３と右底面板３４の上に前底面板３１を重ね合わせ，さらに，後底面板３２の凹部３２ａと，左底面板３３の角部３３ａと，右底面板３４の角部３４ａにより形成される隙間に，前底面板３１の凸部３１ａを挿入する。そして，前底面板３１の凸部３１ａが，後底面板３２の凹部３２ａの下側に位置するようにすることで，各底面板３１〜３４が互いに係合し，底面３０を構成するようになっている。このようなセミオートマチック方式のロックボトム構造は，接着剤を用いずに，各底面板３１〜３４を機械的に係合させるだけで底面３０を構成できるため，本発明の底面の構造に採用することが好ましい。
【００３３】
（１−２．包装構造について）
続いて，図２から図５を参照して，本実施形態に係る包装箱１００を閉じるための構造について説明する。図２は，図１に示された展開状態から，前側面板１１と右側面板１４を接合片１５によって接合して側面１０を立設させ，かつ各底面板３１〜３４を係止させて底面３０を構成した状態を示している。図２に示されるように，底面３０の周囲において側面１０を立設させることにより，略直方体状又は立方体状の収納空間が形成される。また，側面１０を構成する各側面板１１〜１４により，包装箱１００の上部には，上部開口Ａが画定されている。また，図２に示された状態おいては，左側面板１３の上縁に左折込片１６が延設され，右側面板１４の上縁に右折込片１７が延設され，前側面板１１の上縁に前折込片１８が延設されているものの，各折込片１６〜１８は折り返されていない。なお，前側面板１１と右側面板１４を接合片１５を介して接合する態様については後述する。
【００３４】
図３は，図２に示された状態から，左折込片１６，右折込片１７，及び前折込片１８を，包装箱１００の内方に向かって折り返した状態を示している。図３に示されるように，左折込片１６，右折込片１７，及び前折込片１８のそれぞれは，折り返されることにより，左側面板１３，右側面板１４，及び前側面板１１それぞれの内側の面に当接する。また，図３に示された状態において，前折込片１８の先端の両角部に形成された切欠部１８ｂには，左折込片１６に形成された突出部１６ｂと，右折込片１７に形成された突出部１７ｂが，挿し込まれて係合される（図１及び図２参照）。
【００３５】
図４は，図３に示された状態から天面板２１を上部開口Ａを塞ぐ方向に折り曲げた状態を示しており，特に，天面板２１に延設された左ロック片２２が，左折込片１６に形成された左ロック孔１６ａに嵌合する前の状態を拡大して示している。図４に示されるように，天面板２１に延設された左ロック片２２を折線に従って，内方に折り曲げる。また，左折込片１６が折り返されていることにより，左ロック孔１６ａが左側面板１３の上縁をなす位置に形成されている。この左ロック片２２を，左ロック孔１６ａに嵌め込む際には，左ロック片２２を左折込片１６よりも包装箱の内方に位置するように折り曲げて，そのまま天面板２１で上部開口Ａを塞ぐようにすればよい。そうすることで，天面板２１により上部開口Ａが塞がれた後に，左ロック片２２が，紙製段ボールの復元力で自然と外側に開き，左ロック孔１６ａに嵌合するようになる。なお，図示は省略するが，右ロック片２３についても上記した手順と同様の手順で，右ロック孔１７ａに嵌合させることができる。
【００３６】
図５は，図３に示された状態から，天面板２１を折り曲げて，上部開口Ａを塞いだ状態を示している。図５に示されるように，天面板２１の先端部分に延設されている差込片２４は，包装箱１００の内部に差し込まれる。また，上述した通り，天面板２１の左右両辺に延設されていた左ロック片２２と右ロック片２３も，包装箱１００の内部に収納される。この状態において，左ロック片２２は左ロック孔１６ａに嵌合され，右ロック片２３は右ロック孔１７ａに嵌合されている。図５に示されるように，本発明の包装箱１００を閉じた状態において，上部開口Ａは，天面板２１によって隙間なく塞がれる。また，天面板２１で上部開口Ａを塞いだ状態において，天面板２１の左右両辺に延設されている一対のロック片２２，２３が一対のロック孔１６ａ，１７ａに嵌合しているため，天面板２１を開こうとしても，一対のロック片２２，２３と一対のロック孔１６ａ，１７ａとのロック状態が解除されない限り，天面板２１は開かないようになっている。このように，本発明の包装箱１００によれば，天面板２１が開きにくくなり，包装箱１００の内部に収納された梱包物が，その搬送時等において上部開口Ａから収納空間の外側へと飛び出してしまうような事態を防止できる。
【００３７】
（１−３．接合態様について）
本発明の包装箱１００は，上述の通り，あえて天面板２１が開けにくくなる構造を採用している。このため，梱包物保護の確実性は高まるものの，包装箱１００内の梱包物を取り出しにくくなる恐れがある。そこで，本発明では，包装箱１００の側面１０を形成する側面板の端部同士を接合する態様に工夫を施している。
【００３８】
図６は，側面１０の接合態様を説明するための図である。図６（ａ）は，側面１０が接合される箇所の外観を示す斜視図であり，図６（ｂ）は，包装箱の断面形状を示している。図６（ａ）及び図６（ｂ）に示されるように，本実施形態において，連接する各側面板１１〜１４のうちの一端部に位置する前側面板１１には接合片１５が延設され，この接合片１５は，各側面板１１〜１４のうちの他端部に位置する右側面板１４と重ね合わされる。そして，接合片１５と右側面板１４は，一又は複数の糸４０によって縫い合わされている。図６（ａ）及び図６（ｂ）に示されるように，接合片１５と右側面板１４とは，上下方向に沿って延びる２列以上の縫合列で縫い合わされていることが好ましい。ただし，縫合列は，１列であってもよいし，３列以上形成されていることとしてもよい。
【００３９】
本発明において，縫合に用いられる糸４０の種類は特に限定されない。例えば，糸４０は，段ボールの原料材質と同種の天然繊維で形成されていてもよいし，レーヨン等の化学繊維で形成されていてもよい。
【００４０】
また，図７は，縫合の縫い方の例を示している。図７（ａ）は単環縫いを示し，図７（ｂ）は二重環縫いを示す。図７（ａ）に示されるように，単環縫いとは，上糸１本だけで作られる縫い目であって，段ボールの裏面側において上糸のループが互いに連続して，鎖状に繋がって続く縫い方をいう。また，図７（ｂ）に示されるように，二重環縫いとは，縫い付ける段ボールの表裏を往復しながら縫い進められる上糸と，この上糸の折り返し部分の中を往復しながら縫い進められる下糸からなる縫い目であって，段ボールの裏面側において上糸のループの間に下糸のループが形成されるように連続して続く縫い方をいう。上記の単環縫いと二重環縫いを用いて段ボールを縫合した場合，上糸又は下糸の一部を不連続としておけば，その不連続となっている糸を一方向に引っ張るだけで，簡単に縫合を解除できる。このため，接合片１５と右側面板１４の縫合状態を解除して，包装箱を解体する作業が容易になる。
【００４１】
また，本実施形態に係る包装箱１００は，側面１０が糸を用いて縫合されていることにより，上述した天面２０のロック機構，及び底面のロックボトム構造と相俟って，ブランクシート１００´に一箇所も接着剤を使用することなく，包装箱を組み上げることができる。このため，接合片１５と右側面板１４を接合している縫合を解除すれば，包装箱１００をブランクシート１００´の状態へと容易に展開することができる。特に，包装箱１００の天面板２１のロック機構は，天面板２１に延設した一対のロック片２２，２３が，包装箱の左右両側部に位置する左右一対のロック孔１６ａ，１７ａに嵌め込まれて係合しているだけのものであるため，接合片１５と右側面板１４を接合している縫合を解除すれば，一瞬にして，ブランクシート１００´の状態へと展開されるようになっている。このように，本発明は，天面２０に形成された特徴的なロック機構と，側面１０を縫合するという接合態様を組み合わせることで，解体が容易な包装箱を提供できるという効果を奏する。
【００４２】
（１−４．包装箱と梱包物の関係について）
続いて，図８を参照して，梱包物との関係を考慮した包装箱の好ましい寸法について説明する。図８は，天面板を開いた状態の包装箱１００と，この包装箱１００に収納される梱包物Ｏを模式的に示した斜視図である。図８において，符号Ｗｐは包装箱１００内部の収納空間の幅を示し，符号Ｄｐは包装箱１００内部の収納空間の奥行を示し，符号Ｈｐは包装箱１００内部の収納空間の高さを示している。包装箱１００の収納空間は，梱包物Ｏを収納可能な空間を意味し，段ボールの厚みや，段ボールを折り返した部分の厚みを考慮して決定される。また，図８において，符号Ｗｏは梱包物Ｏの幅を示し，符号Ｄｏは梱包物Ｏの奥行きを示し，符号Ｈｏは梱包物Ｏの高さを示している。
【００４３】
図８に示されるように，本発明の包装箱１００は，直方体又は立方体の梱包物Ｏを収納するものであることが好ましい。そして，包装箱１００の収納空間の幅Ｗｐ，奥行Ｄｐ，及び高さＨｐの各種寸法は，梱包物Ｏの幅Ｗｏ，奥行きＤｏ，及び高さＨｏの各種寸法と，略等しくなるように設計されていることが好ましい。例えば，包装箱１００の収納空間の幅Ｗｐと奥行Ｄｐの寸法は，（Ｗｏ−２０ｍｍ）≦Ｗｐ≦Ｗｏ，及び（Ｄｏ−２０ｍｍ）≦Ｄｐ≦Ｄｏの関係を満たす値であることが好ましい。また，図８に示されるように，包装箱１００の収納空間の高さＨｐの寸法は，天面板からロック片が延出した長さをαとした場合に，（Ｈｏ−α）≦Ｈｐ≦Ｈｏの関係を満たすものであることが好ましい。
【００４４】
上記のように，包装箱１００の収納空間の各種寸法を，梱包物Ｏの寸法との関係において設計することにより，天面板のロック機構がより強固なものとなる。つまり，包装箱１００の収納空間の寸法と略等しい梱包物Ｏを収納することで，天面板の左右両辺に延設した一対のロック片が，梱包物Ｏの側壁に押し込まれるようにして，左右一対のロック孔に嵌合した状態で保持されるようになる。これにより，天面板２１が閉じた状態において，一対のロック片は，梱包物Ｏの側壁に阻害されて，包装箱の内方へ折れ曲がらなくなるため，一対のロック孔から外れにくくなり，その結果，天面板が開封しにくくなる。このように，本発明に係る包装箱１００の寸法は，その内部の収納空間に収納される梱包物の寸法に応じて，いわゆるオーダーメイドで設計されることが最も好ましい。
【００４５】
（２．第２の実施形態）
続いて，図９を参照して，本発明の第２の実施形態に係る包装箱について説明する。
図９は，本発明の第２の実施形態に係る包装箱の展開図であり，包装箱を形成するブランクシート１００´を示している。ここでは，第２実施形態に係る包装箱について，上説した第１実施の形態と異なる点を中心に説明を行う。なお，第２の実施形態を示す図９において，第１実施形態と同一の要素には同一符号を付し，その説明を割愛する。
【００４６】
図９に示されるように，第２の実施形態に係る包装箱では，図１に示した差込片２４に換えて，天面板２１の前側縁の一部からは前ロック片２５が延出している。前ロック片２５は，天面板２１と折線（谷折線）を介して延出されており，自在に折れ曲がるようになっている。前ロック片２５は，基本的に，包装箱を閉じる際に包装箱の内部方向へ向かって折り曲げられる。また，図９に示されるように，前ロック片２５は，天面板２１と連結している辺から，その先端側に向かって，徐々に幅広となる部分を有する形状となっていることが好ましい。具体的に説明すると，本実施形態において，前ロック片２４は，天面板２１と連結している辺からその先端側に向かって，徐々に幅広となり，その後徐々に幅狭となる形状とされている。
【００４７】
他方，図９に示されるように，前折込片１８には，前側面板１１との境界線を起点として左折込片１８の先端側に向かって形成された前ロック孔１８ａが設けられている。この，前ロック孔１８ａには，包装箱の上部開口Ａを天面板２１によって塞ぐ際に，天面板２１の前側縁に設けられた前ロック片２５が，嵌め込まれる。このため，前ロック孔１８ａ，は，前ロック片２５に対応した形状であることが好ましい。すなわち，前ロック片２５と，前ロック孔１８aは同一又は相似の形状となっていることが好ましい。
【００４８】
図９に示されるように，左右一対のロック片２２，２３と，左右一対のロック孔１６ａ，１７ａに加えて，前ロック片２５と前ロック孔１８ａを，さらに設けることも可能である。これにより，天面版２１は，上部開口Ａを閉塞した際に，３箇所のロック機構によって，その閉塞状態が保持されるため，より開封されにくくなる。その結果，包装箱に収納された収納物の保護の確実性がさらに向上する。
【００４９】
（３．第３の実施形態）
図１０は，本発明の第３の実施形態に係る包装箱の展開図を示している。図１０に示されるように，第３の実施形態では，図１に示された左右一対のロック片２２，２３と，左右一対のロック孔１６ａ，１７ａを設けずに，前ロック片２５と前ロック孔１８ａのみを，設けている。このように，本発明では，左右一対のロック機構に換えて，前側のみにロック機構を形成することも可能である。
【００５０】
以上，本願明細書では，本発明の内容を表現するために，図面を参照しながら本発明の好ましい実施形態を説明した。ただし，本発明は，上記実施形態に限定されるものではなく，本願明細書に記載された事項に基づいて当業者が自明な変更形態や改良形態を包含するものである。
例えば，本発明において，折込片は，少なくとも前側面板１１，左側面板１３，又は右側面板１４のいずれか一つに延設されていればよく，前側面板１１にのみ延設されたものであってもよいし，左側面版１３にのみ延設されたものであってもよいし，左側面版１４にのみ延設されたものであってもよい。
また，ロック孔は，各折込片１６，１７，１８のいずれか一つに形成されたものであればよく，前折込片１６にのみ形成されたものであってもよいし，左折込片１７にのみ形成されたものであっても良いし，右折込片１８にのみ形成されたものであってもよい。
また，ロック片は，複数のロック孔が形成されている場合であっても，その複数のロック孔の少なくとも一つに対応する位置に形成されていればよい。
【産業上の利用可能性】
【００５１】
本発明は，例えば紙製の段ボールによって形成された包装箱に関する。このため，本発明は，包装箱の製造産業や製紙産業などにおいて好適に利用することができる。
【符号の説明】
【００５２】
１０…側面    １１…前側面板    １２…後側面板    １３…左側面板    １４…右側面板    １５…接合片
１６…左折込片    １６ａ…左ロック孔    １６ｂ…突出部
１７…右折込片    １７ａ…右ロック孔    １７ｂ…突出部
１８…前折込片    １８ａ…前ロック孔    １８ｂ…切欠部
２０…天面    ２１…天面板    ２２…左ロック片    ２３…右ロック片    ２４…差込片    ２５…前ロック片
３０…底面    ３１…前底面板    ３２…後底面板    ３３…左底面板    ３４…右底面板
４０…糸
１００…包装箱    １００´…ブランクシート
【図１】
2014061930.tif 000003
【図２】
2014061930.tif 000004
【図３】
2014061930.tif 000005
【図４】
2014061930.tif 000006
【図５】
2014061930.tif 000007
【図６】
2014061930.tif 000008
【図７】
2014061930.tif 000009
【図８】
2014061930.tif 000010
【図９】
2014061930.tif 000011
【図１０】
2014061930.tif 000012